(57)【特許請求の範囲】
【請求項１】
システムであって、
管理領域における、前記システムにより管理される１つ又は複数のセカンダリシステムの状態情報を取得し、
前記状態情報に基づいて、プライマリシステムの、前記セカンダリシステムにより利用可能な第１の無線資源を確定し、前記第１の無線資源を利用することを前記セカンダリシステムに許可し、
前記状態情報の変化を識別し、
前記変化に基づいて、前記プライマリシステムの、前記セカンダリシステムにより利用可能な第２の無線資源を確定し、
前記第２の無線資源と前記第１の無線資源を比較し、
比較の結果に従い、前記第２の無線資源が前記第１の無線資源よりも小さい場合に、前記第２の無線資源を利用することを前記セカンダリシステムに要求するように配置される回路システムを備えるシステム。
【請求項２】
前記回路システムは、さらに、
前記第２の無線資源が前記第１の無線資源よりも大きい場合に、前記第２の無線資源を利用することをセカンダリシステムに要求しないように配置される請求項１に記載のシステム。
【請求項３】
前記回路システムは、さらに、
前記第２の無線資源が前記第１の無線資源よりも大きい場合に、前記第１の無線資源を利用することを前記セカンダリシステムに指示するように配置される請求項２に記載のシステム。
【請求項４】
前記状態情報は、前記セカンダリシステムの位置情報、前記セカンダリシステムの数の情報及び前記セカンダリシステムのシステムパラメータ情報のうち少なくとも１つを備える請求項１に記載のシステム。
【請求項５】
前記セカンダリシステムの状態情報は、前記セカンダリシステムの動作領域、又は前記セカンダリシステムのシステムタイプ、移動状態及びエアインターフェースタイプのうち少なくとも１つを備え、
前記回路システムは、さらに、前記状態情報に基づいて前記管理領域を確定するために配置される請求項１に記載のシステム。
【請求項６】
前記回路システムは、さらに、
前記セカンダリシステムの前記管理領域での異なる位置において利用可能な無線資源を確定し、前記セカンダリシステムの前記管理領域での異なる位置において利用可能な無線資源に基づいて、前記第１の無線資源を確定する
ように配置される請求項１又は５に記載のシステム。
【請求項７】
前記システムはデータベースを含む請求項１に記載のシステム。
【請求項８】
前記システムは前記プライマリシステムを含む請求項１に記載のシステム。
【請求項９】
システムに用いられる方法であって、
管理領域における、前記システムにより管理される１つ又は複数のセカンダリシステムの状態情報を取得するステップと、
前記状態情報に基づいて、プライマリシステムの、前記セカンダリシステムにより利用可能な第１の無線資源を確定し、前記第１の無線資源を利用することを前記セカンダリシステムに許可するステップと、
前記状態情報の変化を識別するステップと、
前記変化に基づいて、前記プライマリシステムの、前記セカンダリシステムにより利用可能な第２の無線資源を確定するステップと、
前記第２の無線資源と前記第１の無線資源を比較するステップと、
比較の結果に従い、前記第２の無線資源が前記第１の無線資源よりも小さい場合に、前記第２の無線資源を利用することを前記セカンダリシステムに要求するステップと、を備えるシステムに用いる方法。
【請求項１０】
システムであって、
前記システムを管理する装置に、前記システムの状態情報を提供し、
前記装置からプライマリシステムの、前記システムにより利用可能な第１の無線資源を受信し、
前記第１の無線資源を受信した後、前記装置から前記プライマリシステムの、前記システムにより利用可能な第２の無線資源を受信し、
前記第２の無線資源と前記第１の無線資源を比較し、
比較の結果に従い、前記第２の無線資源が前記第１の無線資源よりも小さい場合に、前記第２の無線資源を利用する
ように配置される回路システムを備えるシステム。
【請求項１１】
前記回路システムは、さらに、
前記第２の無線資源が前記第１の無線資源よりも大きい場合に、前記第２の無線資源を利用しないために配置される請求項１０に記載のシステム。
【請求項１２】
前記回路システムは、さらに、
前記第２の無線資源が前記第１の無線資源よりも大きい場合に、前記第１の無線資源を利用するために配置される請求項１１に記載のシステム。
【請求項１３】
前記状態情報は、前記システムの位置情報、前記システムのオン／オフ状態情報及び前記システムのシステムパラメータ情報のうち少なくとも１つを備える請求項１０に記載のシステム。
【請求項１４】
前記状態情報は、前記システムの動作領域、又は前記システムのシステムタイプ、移動状態及びエアインターフェースタイプのうち少なくとも１つを備える請求項１に記載のシステム。
【請求項１５】
システムに用いる方法であって、
前記システムを管理する装置に、前記システムの状態情報を提供するステップと、
前記装置からプライマリシステムの、前記システムにより利用可能な第１の無線資源を受信するステップと、
前記第１の無線資源を受信した後、前記装置から前記プライマリシステムの、前記システムにより利用可能な第２の無線資源を受信するステップと、
前記第２の無線資源と前記第１の無線資源を比較するステップと、
比較の結果に従い、前記第２の無線資源が前記第１の無線資源よりも小さい場合に、前記第２の無線資源を利用するステップと、を備えるシステムに用いる方法。
【請求項１６】
システムにおける非一時的なコンピュータ可読記憶媒体であって、
管理領域における、前記システムにより管理される１つ又は複数のセカンダリシステムの状態情報を取得するステップと、
前記状態情報に基づいて、プライマリシステムの、前記セカンダリシステムにより利用可能な第１の無線資源を確定し、前記第１の無線資源を利用することを前記セカンダリシステムに許可するステップと、
前記状態情報の変化を識別するステップと、
前記変化に基づいて、前記プライマリシステムの、前記セカンダリシステムにより利用可能な第２の無線資源を確定するステップと、
前記第２の無線資源と前記第１の無線資源を比較するステップと、
比較の結果に従い、前記第２の無線資源が前記第１の無線資源よりも小さい場合に、前記第２の無線資源を利用することを前記セカンダリシステムに要求するステップと、
を実行するコンピュータ実行可能な命令を備えることを特徴とするシステムにおける非一時的なコンピュータ可読記憶媒体。
【請求項１７】
システムにおける非一時的なコンピュータ可読記憶媒体であって、
前記システムを管理する装置に、前記システムの状態情報を提供するステップと、
前記装置からプライマリシステムの、前記システムにより利用可能な第１の無線資源を受信するステップと、
前記第１の無線資源を受信した後、前記装置から前記プライマリシステムの、前記システムにより利用可能な第２の無線資源を受信するステップと、
前記第２の無線資源と前記第１の無線資源を比較するステップと、
比較の結果に従い、前記第２の無線資源が前記第１の無線資源よりも小さい場合に、前記第２の無線資源を利用するステップと、を実行するコンピュータ実行可能な命令を備えることを特徴とするシステムにおける非一時的なコンピュータ可読記憶媒体。
【発明の詳細な説明】
【技術分野】
【０００１】
本発明は、一般的に無線通信分野に関し、さらに具体的には、プライマリシステム及びセカンダリシステムを含む無線伝送システムにおける装置及び方法に関する。
【背景技術】
【０００２】
無線通信システムの発展につれて、ユーザは高品質、高速度、及び新サービスに対する要求がますます高くなっている。無線通信事業者及びデバイスメーカーは、ユーザの要求を満たすようにシステムを継続的に改善しなければならない。したがって、新サービスをサポートし、高速通信の要求を満たすように大量のスペクトル資源（例えば、時間、周波数、帯域幅、許容最大送信電力等で量化される）が必要となる。ところが、限られたスペクトル資源は固定された事業者及びサービスに割り当てられ、新たな利用可能なスペクトルは稀で高価である。
【０００３】
これに鑑み、動的スペクトル利用、即ち、いくらかのサービスに割り当てられたが、十分に利用されていないスペクトル資源を動的に利用する概念が提出される。例えば、デジタルテレビブロードキャストスペクトルにおいて番組をブロードキャストしていないチャンネルのスペクトル或いは隣接チャンネルのスペクトルを動的に利用し、テレビ信号の受信を干渉しない場合に、無線移動通信を行う。この応用例では、テレビブロードキャストスペクトルそのものはテレビブロードキャストシステムに割り当てられ使用されるものであるため、テレビブロードキャストシステムはプライマリシステム（primary  system）であり、テレビはプライマリユーザ（primary  user）である。また、セカンダリシステム（secondary  system）は、プライマリシステムに対して干渉にならないことが保証される場合にプライマリシステムスペクトル資源を利用する通信システムであり、例えば、無線アクセスポイント（wireless  access  point）及びそれと通信を行う、例えば、コンピュータ、携帯電話等の無線装置である。無線アクセスポイントは該セカンダリシステムの管理者であるため、無線アクセスポイントの地理的位置は該セカンダリシステムの地理的位置を表している。また、例えば、携帯電話を用いてインターネットにアクセスするとともにＷＩＦＩホットスポット機能をＯＮして、例えば、タブレットコンピュータ、ラップトップ型コンピュータ等の携帯型無線装置が携帯電話を介してインターネットにアクセスする場合、携帯電話の位置はセカンダリシステムの位置を表す。ここで、プライマリシステムとは、スペクトル利用権を有するシステム、例えばテレビブロードキャストシステムであり、セカンダリシステムは、スペクトル利用権を有しておらず、プライマリシステムがそのスペクトルを利用していない場合のみに、該スペクトルを適当に利用するシステムである。
【０００４】
また、プライマリシステム及びセカンダリシステムはともにスペクトル利用権を有するシステムであってもよいが、スペクトル利用には異なる優先度を有する。例えば、事業者は新規サービスを提供するように新規基地局を配置する場合、既存の基地局及びそのサービスはスペクトル利用の優先権を有する。プライマリシステムはプライマリユーザ基地局（primary  user  base  station）とプライマリユーザとを含み、セカンダリシステムは、セカンダリユーザ基地局（secondary  user  base  station）とセカンダリユーザとを含む。セカンダリユーザ基地局と１つ又は複数のセカンダリユーザとの間、或いは複数のセカンダリユーザの間の通信は１つのセカンダリシステムを構成することができる。複数のセカンダリシステムは、一定の領域内に１つのセカンダリシステムクラスタに区分されてもよい。例えば、１つのセカンダリシステムクラスタは、複数の無線ローカルエリアネットワークを備えてもよい。
【０００５】
このようなプライマリシステムとセカンダリシステムとが共存する通信方式は、セカンダリシステムの応用がプライマリシステムの応用に対して干渉にならないこと、或いはセカンダリシステムのスペクトル利用による影響がプライマリシステムの許容範囲内に制御されることを要求する。
【０００６】
現在、プライマリシステムを保護する主要の方式の１つは、プライマリシステムのカバレッジ情報をデータベースに記憶することである。このデータベースには、プライマリシステムの許容干渉限界がさらに記憶されている。同一領域におけるセカンダリシステムは、同一領域におけるプライマリシステムのスペクトルを利用する前に該データベースにアクセスしてセカンダリシステムの状態情報、例えば位置情報、スペクトルエミッションマスク(spectrum  emission  mask)、伝送帯域幅及び搬送周波数等を提供する必要がある。そして、データベースはセカンダリシステムの状態情報に基づいてプライマリシステムに対するセカンダリシステムの干渉量を計算し、計算された現在状態でのプライマリシステムに対するセカンダリシステムの干渉量により、現在状態でのセカンダリシステムの利用可能スペクトル資源を計算する。
【発明の概要】
【０００７】
ところが、従来技術では、セカンダリシステムの状態が絶えず変化しているとき、セカンダリシステムの利用可能スペクトル資源も絶えず変化するため、データベースは、新たな利用可能スペクトル資源を絶えず算出するとともに新たな利用可能スペクトル資源をセカンダリシステムに送信する必要がある。そして、セカンダリシステムは、受信した新たな利用可能スペクトル資源に基づいてシステム再構成を行う。また、他のセカンダリシステムの状態、例えば、他のセカンダリシステムの位置、プライマリシステムのスペクトルを同時に利用するセカンダリシステムの数及び／又はセカンダリシステムのシステムパラメータが変化する場合に、セカンダリシステムの利用可能スペクトル資源も変化することにより、セカンダリシステムはシステム再構成を絶えず行う必要がある。このように、従来技術では、セカンダリシステムとデータベースとの間に大量の情報交換が要求され、セカンダリシステムは新たな利用可能スペクトル資源に基づいてシステム再構成を複数回行う必要がある。これに鑑み、本発明者は上記発見に基づき本発明を提出した。本発明によれば、少なくとも、セカンダリシステムの性能及びプライマリシステムに対する随時保護が確保される場合に、セカンダリシステムの再構成回数を低減し、セカンダリシステムとデータベースとの間の情報交換の数を低減することにより、スペクトル資源を合理的に利用することができる。
【０００８】
本発明の１つの実施例によれば、システムであって、管理領域における、前記システムにより管理される１つ又は複数のセカンダリシステムの状態情報を取得し、前記状態情報に基づいて、ライマリシステムの、前記セカンダリシステムにより利用可能な第１の無線資源を確定し、前記第１の無線資源を利用することを前記セカンダリシステムに許可し、前記状態情報の変化を識別し、前記変化により前記プライマリシステムの、前記セカンダリシステムにより利用可能な第２の無線資源を確定し、前記第２の無線資源が前記第１の無線資源よりも小さい場合に、前記第２の無線資源を利用することを前記セカンダリシステムに要求するように配置される回路システムを備えるシステムが提供される。
【０００９】
上記システムによれば、前記回路システムは、さらに、前記第２の無線資源が前記第１の無線資源よりも大きい場合に、前記第２の無線資源を利用することを前記セカンダリシステムに要求しないように配置される。
【００１０】
上記システムによれば、前記回路システムは、さらに、前記第２の無線資源が前記第１の無線資源よりも大きい場合に、前記第１の無線資源を利用することを前記セカンダリシステムに指示するように配置される。
【００１１】
上記システムによれば、前記状態情報は、前記セカンダリシステムの位置情報、前記セカンダリシステムの数の情報及び前記セカンダリシステムのシステムパラメータ情報のうち少なくとも１つを備える。
【００１２】
上記システムによれば、前記セカンダリシステムの状態情報は、前記セカンダリシステムの動作領域、又は前記セカンダリシステムのシステムタイプ、移動状態及びエアインターフェースタイプのうち少なくとも１つを備え、前記回路システムは、さらに、前記状態情報に基づいて管理領域を確定するように配置される。
【００１３】
上記システムによれば、前記回路システムは、さらに、前記セカンダリシステムの前記管理領域での異なる位置で利用可能な無線資源を確定し、前記セカンダリシステムの前記管理領域での異なる位置で利用可能な無線資源に基づいて、前記第１の無線資源を確定するように配置される。
【００１４】
上記システムによれば、前記システムはデータベースを含む。
【００１５】
上記システムによれば、前記システムは前記プライマリシステムを含む。
【００１６】
本発明のもう１つの実施例によれば、システムに用いる方法であって、管理領域における、前記システムにより管理される１つまたは複数のセカンダリシステムの状態情報を取得するステップと、前記状態情報に基づいて、プライマリシステムの、前記セカンダリシステムにより利用可能な第１の無線資源を確定し、前記第１の無線資源を利用することを前記セカンダリシステムに許可するステップと、前記状態情報の変化を識別するステップと、前記変化により前記プライマリシステムの、前記セカンダリシステムにより利用可能な第２の無線資源を確定するステップと、前記第２の無線資源が前記第１の無線資源よりも小さい場合に、前記第２の無線資源を利用することを前記セカンダリシステムに要求するステップと、を備えるシステムに用いる方法が提供される。
【００１７】
本発明のさらにもう１つの実施例によれば、システムであって、前記システムを管理する装置に前記システムの状態情報を提供し、前記装置からプライマリシステムの、前記システムにより利用可能な第１の無線資源を受信し、前記第１の無線資源を受信した後、前記装置から前記プライマリシステムの、前記システムにより利用可能な第２の無線資源を受信し、前記第２の無線資源が前記第１の無線資源よりも小さい場合に、前記第２の無線資源を利用するように配置される回路システムを備えるシステムが提供される。
【００１８】
上記システムによれば、前記回路システムは、さらに、前記第２の無線資源が前記第１の無線資源よりも大きい場合に、前記第２の無線資源を利用しないように配置される。
【００１９】
上記システムによれば、前記回路システムは、さらに、前記第２の無線資源が前記第１の無線資源よりも大きい場合に、前記第１の無線資源を利用するように配置される。
【００２０】
上記システムによれば、前記状態情報は、前記システムの位置情報、前記システムのオン／オフ状態情報及び前記システムのシステムパラメータ情報のうち少なくとも１つを備える。
【００２１】
上記システムによれば、前記状態情報は、前記システムの動作領域、又は前記システムのシステムタイプ、移動状態及びエアインターフェースタイプのうち少なくとも一つを備える。
【００２２】
本発明のさらにもう１つの実施例によれば、システムに用いる方法であって、前記システムを管理する装置に前記システムの状態情報を提供するステップと、前記装置はプライマリシステムの、前記システムにより利用可能な第１の無線資源を受信するステップと、前記第１の無線資源を受信した後、前記装置から前記プライマリシステムの、前記システムにより利用可能な第２の無線資源を受信するステップと、前記第２の無線資源が前記第１の無線資源よりも小さい場合に、前記第２の無線資源を利用するステップと、を備えるシステムに用いる方法が提供される。
【００２３】
本発明のさらにもう１つの実施例によれば、システムにおける非一時的なコンピュータ可読媒体であって、管理領域における、前記システムにより管理される１つ又は複数のセカンダリシステムの状態情報を取得するステップと、前記状態情報に基づいて、プライマリシステムの、前記セカンダリシステムにより利用可能な第１の無線資源を確定し、前記第１の無線資源を利用することを前記セカンダリシステムに許可するステップと、前記状態情報の変化を識別するステップと、前記変化により前記プライマリシステムの、前記セカンダリシステムに利用可能な第２の無線資源を確定するステップと、前記第２の無線資源が前記第１の無線資源よりも小さい場合に、前記第２の無線資源を利用することを前記セカンダリシステムに要求するステップと、を実行するコンピュータ実行可能な命令を備える非一時的なコンピュータ可読媒体が提供される。
【００２４】
本発明のさらにもう１つの実施例によれば、システムにおける非一時的なコンピュータ可読媒体であって、前記システムを管理する装置に前記システムの状態情報を提供するステップと、前記装置からプライマリシステムの、前記システムにより利用可能な第１の無線資源を受信するステップと、前記第１の無線資源を受信した後、前記装置から前記プライマリシステムの、前記システムにより利用可能な第２の無線資源を受信するステップと、前記第２の無線資源が前記第１の無線資源よりも小さい場合に、前記第２の無線資源を利用するステップと、を実行するコンピュータ実行可能な命令を備える非一時的なコンピュータ可読媒体が提供される。
【００２５】
本発明によれば、少なくとも、セカンダリシステムの性能及びプライマリシステムに対する随時保護を確保する場合に、セカンダリシステムの再構成回数を低減し、および／または、セカンダリシステムとデータベースとの間の情報交換の数を低減することにより、スペクトル資源を合理的に利用することができる。
【００２６】
以下の図面を組み合わせて本発明実施例に対する説明を参照すると、本発明の上記及びその他の目的をさらに理解することができる。図面において、同じ又は類似の符号で同じ又は類似の部材を表している。
【図面の簡単な説明】
【００２７】
【図１】図１は本発明実施例に係る無線通信システムにおける装置の構成を示すブロック図である。
【００２８】
【図２】図２は本発明実施例に係るプライマリシステムと複数のセカンダリシステムとが共存するシーンを示す概略図である。
【００２９】
【図３】図３は本発明のもう１つの実施例に係る無線通信システムにおける装置の構成を示すブロック図である。
【００３０】
【図４】図４は本発明のもう１つの実施例に係る無線通信システムにおける装置の構成を示すブロック図である。
【００３１】
【図５】図５は本発明実施例に係るプライマリシステム及び管理領域におけるセカンダリシステムをシミュレートするモデルを示す概略図である。
【００３２】
【図６】図６は本発明実施例に係るセカンダリシステムの管理領域における複数の位置での推定利用可能スペクトル資源の分布確率を示すグラフである。
【００３３】
【図７】図７は本発明実施例に係るセカンダリシステムが相応の分布確率下の推定利用可能スペクトル資源を採用する場合のチャンネル容量を示すグラフである。
【００３４】
【図８】図８は本発明実施例に係る無線通信システムに用いる方法を示すフローチャートである。
【００３５】
【図９】図９は本発明のもう１つの実施例に係る無線通信システムにおける装置の構成を示すブロック図である。
【００３６】
【図１０】図１０は本発明のもう１つの実施例に係る無線通信システムにおける装置の構成を示すブロック図である。
【００３７】
【図１１】図１１は本発明のもう１つの実施例に係る無線通信システムに用いる方法を示すフローチャートである。
【００３８】
【図１２】図１２は本発明のもう１つの実施例に係る無線通信システムにおける装置の構成を示すブロック図である。
【００３９】
【図１３】図１３は本発明のもう１つの実施例に係る無線通信システムに用いる方法を示すフローチャートである。
【００４０】
【図１４】図１４は本発明のもう１つの実施例に係る無線通信システムにおける装置の構成を示すブロック図である。
【００４１】
【図１５】図１５は本発明のもう１つの実施例に係る無線通信システムに用いる方法を示すフローチャートである。
【００４２】
【図１６】図１６は本発明のもう１つの実施例に係る無線通信システムに用いる方法を示すフローチャートである。
【００４３】
【図１７】図１７は本発明のもう１つ実施例に係る無線通信システムに用いる方法を示すフローチャートである。
【００４４】
【図１８】図１８は、本発明実施例を実行可能な情報処理装置を示す概略的なブロック図である。
【発明を実施するための形態】
【００４５】
以下に、図面を組み合わせて本発明の実施例を説明する。明瞭なために、図面及び明細書には、本発明と関係なく、当業者が既知の部材及び処理に対する図示及び説明が省略される。
【００４６】
以下に、図１を組み合わせて本発明実施例に係る無線通信システムにおける装置の構成を説明する。図１は、本発明実施例に係る無線通信システムにおける装置の構成を示すブロック図である。
【００４７】
図１に示すように、無線通信システムにおける装置１００は、状態情報取得ユニット１０２、推定利用可能スペクトル資源確定ユニット１０４及び実際利用スペクトル資源確定ユニット１０６を備えてもよい。
【００４８】
状態情報取得ユニット１０２は、予定管理領域におけるセカンダリシステムのうち少なくとも１つの状態が変化した場合に、予定管理領域におけるセカンダリシステムのうち少なくとも１つの状態情報を取得することができる。
【００４９】
上記のように、プライマリシステムのサービス範囲内に複数のセカンダリシステムが同時に存在することができる。つまり、プライマリシステムと複数のセカンダリシステムとが共存することができる。
【００５０】
以下に、図２を組み合わせてプライマリシステムと複数のセカンダリシステムとが共存するシーンを説明する。図２は本発明実施例に係るプライマリシステムと複数のセカンダリシステムとが共存するシーンを示す概略図である。
【００５１】
図２に示すように、プライマリユーザとプライマリユーザ基地局とともにプライマリシステムを形成し、プライマリシステムのスペクトル資源情報はプライマリシステムスペクトルデータベースに記憶されてもよい。また、図２に示すように、セカンダリユーザ基地局とそのセカンダリユーザとともにセカンダリシステムを形成し、例えばセカンダリユーザ基地局１とそのセカンダリユーザaおよびセカンダリユーザbとともに１つのセカンダリシステムを形成する。また、図２に示すように、若干のセカンダリユーザ同士はセカンダリシステムを形成してもよく、例えば、セカンダリユーザNとセカンダリユーザN-１とともにもう１つのセカンダリシステムを形成する。若干のセカンダリシステムを同一管理領域に区分してもよく、例えば、距離上で互いに隣接する若干のセカンダリシステムを同一管理領域に区分してもよい。例えば、図２に示すように、セカンダリユーザ基地局１、２、３、…、N及びそれらのセカンダリユーザからなる若干のセカンダリシステムを管理領域１に区分し、セカンダリユーザからなる若干のセカンダリシステムを管理領域２に区分してもよい。
【００５２】
本発明の１つの具体的な実施例によれば、状態情報は、セカンダリシステムの位置情報、セカンダリシステムの数の情報及びセカンダリシステムのシステムパラメータ情報のうち少なくとも１つを備える。
【００５３】
プライマリシステムとセカンダリシステムとが共存するため、セカンダリシステムがプライマリシステムに対して干渉になることがある。また、セカンダリシステム同士も互いに干渉することもある。さらに、セカンダリシステムの状態も変化する可能性があり、例えば、セカンダリシステムが移動する場合に、セカンダリシステムの位置情報が変化し、さらに例えば、セカンダリシステムが管理領域に対して加入又は退出する場合に、セカンダリシステムの数の情報が変化し、さらに例えば、セカンダリシステムのシステムパラメータも変化することはある。よって、セカンダリシステムの状態が変化する場合に、プライマリシステムに対するセカンダリシステムの干渉量や他のセカンダリシステムに対するセカンダリシステムの干渉量はそれに応じて変化することはある。
【００５４】
図１に戻って参照すると、装置１００における推定利用可能スペクトル資源確定ユニット１０４は、推定利用可能スペクトル資源の範囲で動作する場合にプライマリシステムに対するセカンダリシステムの干渉が予定範囲を超えないように、状態情報に基づいて、セカンダリシステムの推定利用可能スペクトル資源を確定することができる。
【００５５】
セカンダリシステムの推定利用可能スペクトル資源は、セカンダリシステムがプライマリシステムに対して干渉にならない、或いは干渉が予定範囲を超えない場合に、許容されるセカンダリシステムの最大送信電力及び帯域幅等である。セカンダリシステムの状態が変化する場合に、セカンダリシステムの変化後の状態情報に基づいてセカンダリシステムの推定利用可能スペクトル資源を確定する必要がある。
【００５６】
例えば、セカンダリシステムの状態情報はセカンダリシステムの位置情報であってもよい。無線信号伝送のパスフェージングのため、セカンダリシステムの推定利用可能スペクトル資源は、セカンダリシステムとプライマリシステムとの距離等の要素に影響される。セカンダリシステムの位置情報及びプライマリシステムのサービス範囲情報により、セカンダリシステムとプライマリシステムとの間の距離等を確定することができる。よって、確定されたセカンダリシステムとプライマリシステムとの間の距離等により、セカンダリシステムの推定利用可能スペクトル資源を確定することができる。
【００５７】
さらに例えば、セカンダリシステムの状態情報は、プライマリシステムのスペクトル資源を同時に利用するセカンダリシステムの数の情報であってもよい。セカンダリシステムが管理領域に対して加入或いは退出する場合に、セカンダリシステムの数の情報が変化するため、プライマリシステム対して、プライマリシステムのスペクトル資源を同時に利用する複数のセカンダリシステムの集合干渉も変化する。よって、プライマリシステムに対して、プライマリシステムスペクトル資源を同時に利用する複数のセカンダリシステムの集合干渉により、セカンダリシステムの推定利用可能スペクトル資源を確定してもよい。
【００５８】
さらに例えば、セカンダリシステムの状態情報はセカンダリシステムのシステムパラメータ情報であってもよい。セカンダリシステムのシステムパラメータ情報は、例えばセカンダリシステムに利用されるアンテナ、伝送テンプレート等である。セカンダリシステムのシステムパラメータが変化する場合、プライマリシステムに対するセカンダリシステムの干渉も変化する。よって、セカンダリシステムのシステムパラメータ情報によりセカンダリシステムの推定利用可能スペクトル資源を確定してもよい。
【００５９】
ここで、上記３種類の状態情報の異なる組み合わせによりセカンダリシステムの推定利用可能スペクトル資源を確定してもよい。本発明の１つの実施例によれば、セカンダリシステムの推定利用可能スペクトル資源は、周波数帯域、帯域幅、送信電力及びスペクトル利用時間のうち少なくとも１つを備える。具体的に、セカンダリシステムの推定利用可能スペクトル資源は、利用可能周波数帯域、利用可能帯域幅、最大送信電力及びスペクトル利用有効時間のうち少なくとも１つを備える。ここで、上記推定利用可能スペクトル資源は例示的なものにすぎず、網羅的なものではない。
【００６０】
推定利用可能スペクトル資源確定ユニット１０４は、セカンダリシステムの状態を監視することができ、例えば、活動状態にあるセカンダリシステムの数を検知することができ、或いはセカンダリシステムからの位置情報を受信することができる。管理領域におけるセカンダリシステムのうち少なくとも１つの状態が変化する場合に、例えば、あるセカンダリシステム、或いは該セカンダリシステムに隣接する、プライマリシステムのスペクトル資源を同時に利用する他のセカンダリシステムの位置又は数が変化する場合に、推定利用可能スペクトル資源確定ユニット１０４は、管理領域における全てのセカンダリシステムの現在の状態に基づいて、各セカンダリシステムの推定利用可能スペクトル資源を再計算する。ここで、各種の方法によりセカンダリシステムの推定利用可能スペクトル資源を計算してもよい。例えば、参考文献１（CEPT、“Technical  and  Operational  Requirements  for  the  Operation  of  White  Space  Devices  under  Geo-location  Approach”,  ECC  １８６,  ２０１３年１月）に記載のECC  １８６方法によりセカンダリシステムの推定利用可能スペクトル資源を計算してもよい。
【００６１】
図１に戻って参照すると、装置１００における実際利用スペクトル資源確定ユニット１０６は、推定利用可能スペクトル資源を、セカンダリシステムのうち少なくとも１つの状態の変化前の最初の利用可能スペクトル資源と比較し、比較の結果によりセカンダリシステムの実際利用スペクトル資源を確定することができる。
【００６２】
セカンダリシステムの最初の利用可能スペクトル資源は、予定のプライマリシステムとセカンダリシステムの共存モデルに基づいて計算されたデフォルトの利用可能スペクトル資源であってもよい。以下に、予定のプライマリシステムとセカンダリシステムの共存モデルに基づいてセカンダリシステムの最初の利用可能スペクトル資源を如何に計算するかについて詳しく説明する。セカンダリシステムの最初の利用可能スペクトル資源を、管理領域に加入する各セカンダリシステムに予め通知してもよく、例えば、セカンダリシステムが管理領域に加入した後、プライマリシステムからセカンダリシステムの最初の利用可能スペクトル資源を受信してもよい。セカンダリシステムは、上記最初の利用可能スペクトル資源をそのままに利用せず、該最初の利用可能スペクトル資源を参照値とし、上記セカンダリシステムの状態情報により計算された推定利用可能スペクトル資源を、参照値として最初の利用可能スペクトル資源と比較し、比較結果により、実際のスペクトル資源として、最初の利用可能スペクトル資源を利用するか、それとも上記セカンダリシステムの状態情報により計算された推定利用可能スペクトル資源を利用するかを確定する。
【００６３】
本発明の１つの具体的な実施例によれば、実際利用スペクトル資源確定ユニット１０６は、推定利用可能スペクトル資源が最初の利用可能スペクトル資源以上である場合に、実際の利用スペクトル資源として最初の利用可能スペクトル資源を利用することをセカンダリシステムに指示し、或いは何れの指示も出さなくてもよい。本発明のもう１つの具体的な実施例によれば、実際利用スペクトル資源確定ユニット１０６は、推定利用可能スペクトル資源が最初の利用可能スペクトル資源よりも小さい場合に、推定利用可能スペクトル資源をセカンダリシステムに送信し、実際利用スペクトル資源として、推定利用可能スペクトル資源をセカンダリシステムに利用させてもよい。
【００６４】
計算された推定利用可能スペクトル資源が最初の利用可能スペクトル資源以上である場合に、セカンダリシステムにより干渉されないようにプライマリシステムをできるだけ保護するために、実際利用スペクトル資源としてセカンダリシステムに最初の利用可能スペクトル資源を利用させてもよい。例えば、このとき、プライマリシステムは、最初の利用可能スペクトル資源を利用することをセカンダリシステムに明確に指示するように、セカンダリシステムへ確認のメッセージを送信してもよい。さらに例えば、このとき、プライマリシステムは、セカンダリシステムに何れのメッセージも送信しなくても良いため、セカンダリシステムは、最初の利用可能スペクトル資源をデフォルトで継続して利用してもよい。
【００６５】
計算された推定利用可能スペクトル資源が最初の利用可能スペクトル資源よりも小さい場合は、もし、セカンダリシステムが最初の利用可能スペクトル資源を継続に利用すると、セカンダリシステムによってプライマリシステムへの干渉が招致されることを表す。よって、この場合、セカンダリシステムが、実際利用スペクトル資源として、計算された推定利用可能スペクトル資源を利用するように、プライマリシステムは、計算された推定利用可能スペクトル資源をセカンダリシステムに送信することができる。
【００６６】
よって、本発明実施例によれば、計算された推定利用可能スペクトル資源が最初の利用可能スペクトル資源よりも小さい場合のみに、セカンダリシステムの実際利用スペクトル資源を調整し、即ち、セカンダリシステムを再構成する必要がある。一方、計算された推定利用可能スペクトル資源が最初の利用可能スペクトル資源以上である場合、セカンダリシステムの実際利用スペクトル資源を調整する必要がなく、即ち、セカンダリシステムを再構成する必要がない。よって、本発明によれば、少なくとも、セカンダリシステム性能およびプライマリシステムを随時に保護できることが確保される場合に、セカンダリシステムの再構成回数及び／又はセカンダリシステムとデータベースとの間の情報交換の数を低減することにより、スペクトル資源を合理的に利用できる。
【００６７】
以下、図３を組み合わせて本発明のもう１つの実施例に係る無線通信システムにおける装置の構成を説明する。図３は、本発明のもう１つの実施例に係る無線通信システムにおける装置の構成を示すブロック図である。
【００６８】
図３に示すように、無線通信システムにおける装置３００は、状態情報取得ユニット３０２、推定利用可能スペクトル資源確定ユニット３０４、実際利用スペクトル資源確定ユニット３０６及び管理領域確定ユニット３０８を備える。ここで、状態情報取得ユニット３０２、推定利用可能スペクトル資源確定ユニット３０４及び実際利用スペクトル資源確定ユニット３０６の構成は、図１に示す装置１００における状態情報取得ユニット１０２、推定利用可能スペクトル資源確定ユニット１０４及び実際利用スペクトル資源確定ユニット１０６の構成とそれぞれ同じであるため、それらを具体的に説明しない。以下に、装置３００における管理領域確定ユニット３０８を詳しく説明する。
【００６９】
図３に示すように、無線通信システムにおける装置３００の管理領域確定ユニット３０８は、予定の時間帯内にセカンダリシステムがスペクトル資源を利用することを期待する期待管理範囲を取得し、期待管理範囲に基づいて管理領域を確定することができ、ここで、期待管理範囲は、セカンダリシステムがセカンダリシステムの応用及び予定移動方向、或いはセカンダリシステムの通常移動範囲に基づいて確定される。
【００７０】
管理領域は１つ又は複数のセカンダリシステムの活動範囲である。例えば、上記図２に示すように、管理領域１は、セカンダリユーザ基地局１、２、３、…、N及びそのセカンダリユーザからなる若干のセカンダリシステムの活動範囲であり、管理領域２は、セカンダリユーザからなる若干のセカンダリシステムの活動範囲である。プライマリシステムは、管理領域における、該活動範囲内でのセカンダリシステムによるスペクトル資源利用状況を管理することができる。また、異なる管理領域のスペクトル資源管理ポリシーは異なっても良い。
【００７１】
管理領域確定ユニット３０８は、セカンダリシステムが予定時間帯内でのスペクトル資源を利用することを期待する期待管理範囲を取得し、期待管理範囲に基づき管理領域を確定することができる。具体的に、セカンダリシステムは、セカンダリシステムの応用及び予定移動方向、或いはセカンダリシステムの通常移動範囲に基づいて上記期待管理範囲を確定することができる。また、セカンダリシステムは、確定された期待管理範囲をプライマリシステムに提供し、プライマリシステムは、セカンダリシステムから取得した期待管理範囲に基づいて管理領域を確定することができる。例えば、人々が仕事日に仕事する場合に、その活動範囲は、通常、オフィス及びその周辺範囲に限られる。よって、オフィス及びその周辺範囲は、システムが仕事日にスペクトル資源利用を期待する期待管理範囲であるため、セカンダリシステムは、オフィス及びその周辺範囲をプライマリシステムに提供し、プライマリシステムはセカンダリシステムから取得したオフィス及びその周辺範囲を管理領域に設定することができる。ここで、各種の方式で管理領域を記述してもよい。例えば、アドレスで管理領域を記述してもよいし、中心座標及び半径により管理領域を記述してもよい。
【００７２】
本発明の１つの具体的な実施例によれば、装置３００における管理領域確定ユニット３０８は、さらに、セカンダリシステムのシステムタイプ、移動状態及びエアインターフェースタイプのうち少なくとも１つにより管理領域を確定することができる。
【００７３】
セカンダリシステムは、さらに、セカンダリシステムのシステムタイプ、移動状態及びエアインターフェースタイプのうち少なくとも１つをプライマリシステムに提供することができ、プライマリシステムは、セカンダリシステムから取得した上記セカンダリシステムのシステムタイプ、移動状態及びエアインターフェースタイプのうち少なくとも１つにより、管理領域を確定することができる。例えば、セカンダリシステムのシステムタイプは、マイクロ基地局、ピコ基地局、ホーム基地局、リモートラジオユニット又は中継基地局等であってもよい。例えば、セカンダリシステムの移動状態は、例えば、歩行者の低速移動状態、車両の中速移動状態、又は列車の高速移動状態等を含む。例えば、セカンダリシステムのエアインターフェースタイプは、CDMA、LTE又はGSM（登録商標）等であってもよい。
【００７４】
ここで、プライマリシステムは、セカンダリシステムにより提供された例えばセカンダリシステムの期待管理範囲、セカンダリシステムのシステムタイプ、移動状態及びエアインターフェース等の各種の情報の組み合わせにより、管理領域を確定してもよい。また、プライマリシステムは、１つ又は複数のセカンダリシステムにより提供された上記各種の情報又はそれらの組み合わせにより、管理領域を確定してもよい。管理領域は、同じシステムタイプや同じ移動状態を有する複数のセカンダリシステムをカバーすることができる。これによって管理領域を確定した後、管理領域におけるセカンダリシステムのスペクトル資源利用状況及びシステム性能に対して相応のモデルを確立し、確立された相応のモデルにより管理領域を管理することができる。
【００７５】
以下、図４を組み合わせて本発明のもう１つの実施例に係る無線通信システムにおける装置の構成を説明する。図４は本発明のもう１つの実施例に係る無線通信システムにおける装置の構成を示すブロック図である。
【００７６】
図４に示すように、無線通信システムにおける装置４００は、状態情報取得ユニット４０２、推定利用可能スペクトル資源確定ユニット４０４、実際利用スペクトル資源確定ユニット４０６及び最初の利用可能スペクトル資源確定ユニット４０８を備える。ここで、状態情報取得ユニット４０２、推定利用可能スペクトル資源確定ユニット４０４及び実際利用スペクトル資源確定ユニット４０６の構成は、図１に示す装置１００における状態情報取得ユニット１０２、推定利用可能スペクトル資源確定ユニット１０４及び実際利用スペクトル資源確定ユニット１０６の構成とそれぞれ同じであるため、ここでそれらを具体的に説明しない。以下に、装置４００における最初の利用可能スペクトル資源確定ユニット４０８を詳しく説明する。
【００７７】
図４に示すように、無線通信システムにおける装置４００の最初の利用可能スペクトル資源確定ユニット４０８は、セカンダリシステム及びプライマリシステムの情報により、管理領域における各セカンダリシステムが管理領域における各位置での各推定利用可能スペクトル資源を確定し、各位置での各推定利用可能スペクトル資源により、最初の利用可能スペクトル資源を確定することができる。
【００７８】
管理領域及び管理領域におけるセカンダリシステムの数が確定された後、管理領域におけるセカンダリシステムのスペクトル資源利用状況及びシステム性能に対して相応のモデルを確立し、確立された相応のモデルにより管理領域を管理してもよい。
【００７９】
以下、図５を組み合わせて本発明実施例に係るプライマリシステム及び管理領域におけるセカンダリシステムをシミュレートするモデルを説明する。図５は、本発明実施例に係るプライマリシステム及び管理領域におけるセカンダリシステムをシミュレートするモデルを示す概略図である。
【００８０】
図５に示すように、中心座標及び半径で管理領域を記述し、管理領域におけるセカンダリシステムを管理領域における小円で表してもよい。セカンダリシステム間の伝送モデル及び経路損失、セカンダリシステムからプライマリシステムのサービス範囲までの伝送モデル及び経路損失は、データベースにアクセスすることにより得られた経験的知識であってもよいし、実際環境により確定されるものであってもよい。プライマリシステムは、セカンダリシステムにより提供された位置情報、及び予定時間帯内に活性化されたセカンダリシステムの数の統計的分布により、図５に示すモデルを用いて、管理領域における随時のセカンダリシステムの状態、例えば管理領域におけるセカンダリシステムの数、各セカンダリシステムの位置等を生成することができる。
【００８１】
管理領域における１つ又は複数のセカンダリシステムの位置が与えられた場合に、各種の方法を用いて、セカンダリシステム及びプライマリシステムの情報により、管理領域における各セカンダリシステムが管理領域における各位置での各推定利用可能スペクトル資源を確定してもよい。例えば、参考文献１（CEPT、“Technical  and  Operational  Requirements  for  the  Operation  of  White  Space  Devices  under  Geo-location  Approach”,  ECC  １８６,  ２０１３年１月）は、１つ又は複数のセカンダリシステムの位置が与えられた場合に、プライマリシステムに対するこれらのセカンダリシステムの干渉を予定範囲を超えないような、推定利用可能スペクトル資源の計算方法を提供した。図５に示すモデルにより生成された任意時刻の管理領域におけるセカンダリシステムの状態に対して、参考文献１に記載の計算方法を用いて、管理領域における各位置で現在時刻の各セカンダリシステムの各推定利用可能スペクトル資源を計算することができる。
【００８２】
上述のように、セカンダリシステムの状態情報は、セカンダリシステムの位置情報、セカンダリシステムの数の情報及びセカンダリシステムのシステムパラメータ情報のうち少なくとも１つを備える。以下、セカンダリシステムの位置情報を例として説明するが、これは例示的なものに過ぎず、限定的なものではない。他の状態情報又はそれらの組み合わせを用いる場合、その計算方法も類似する。
【００８３】
図５に示すように、仮に、管理領域からプライマリシステムのサービス領域のエッジまでの距離は２０kmであり、管理領域の半径は１０kmであり、管理領域内にランダムに移動している４つのセカンダリシステム１、２、３、４があり、且つこの４つのセカンダリシステムはプライマリシステムのスペクトル資源を同時に利用することにする。各セカンダリシステムが管理領域での各位置は複数回生成され、各セカンダリシステムが管理領域における各位置での推定利用可能スペクトル資源を計算してもよい。
【００８４】
本発明の１つの具体的な実施例によれば、装置４００における最初の利用可能スペクトル資源確定ユニット４０８は、さらに、最初の利用可能スペクトル資源として、各位置での各推定利用可能スペクトル資源の平均値を計算することができる。
【００８５】
具体的に、プライマリシステムは、最初の利用可能スペクトル資源として、各位置での各推定利用可能スペクトル資源の平均値、又は極値（最大値又は最小値）を選択することができる。また、プライマリシステムは、セカンダリシステムが予定時間内に取得したスペクトル資源の歴史情報により、最初の利用可能スペクトル資源として相応の数値を選択することができる。
【００８６】
本発明の１つの具体的な実施例によれば、装置４００における最初の利用可能スペクトル資源確定ユニット４０８は、さらに、各位置での各推定利用可能スペクトル資源の分布確率、及び相応の分布確率下の推定利用可能スペクトル資源を採用する場合のチャンネル容量を統計し、且つ統計結果により最初の利用可能スペクトル資源を確定してもよい。
【００８７】
本実施例によれば、セカンダリシステムの再構成の複雑さとセカンダリシステムのチャンネル容量との折衷により、セカンダリシステムの最初の利用可能スペクトル資源を確定することができる。例えば、プライマリシステムは、管理領域における各位置でセカンダリシステムの各推定利用可能スペクトル資源の分布確率、及び相応の分布確率下の推定利用可能スペクトル資源を採用する場合のチャンネル容量により、セカンダリシステムの最初の利用可能スペクトル資源を確定することができる。
【００８８】
以下、図６及び図７を組み合わせて管理領域における各位置でセカンダリシステムの各推定利用可能スペクトル資源の分布確率、及び相応の分布確率下の推定利用可能スペクトル資源を採用する場合のチャンネル容量により、セカンダリシステムの最初の利用可能スペクトル資源を確定する過程を説明する。図６は、本発明実施例に係る管理領域における複数の位置でのセカンダリシステムの推定利用可能スペクトル資源の分布確率を示すグラフである。図７は、本発明実施例に係るセカンダリシステムが相応の分布確率下の推定利用可能スペクトル資源を採用する場合のチャンネル容量を示すグラフである。
【００８９】
本発明の１つの具体的な実施例によれば、プライマリシステムは、セカンダリシステムの状態情報により、管理領域内においてセカンダリシステムの状態が絶えず変化する過程における、セカンダリシステムの推定利用可能スペクトル資源の分布確率を計算し、プライマリシステムは、計算された分布確率から異なる分布確率下の推定利用可能スペクトル資源を抽出することができる。
【００９０】
図６に示すように、図６は、管理領域における複数の位置でのセカンダリシステムの推定利用可能スペクトル資源の分布確率を示す。図６において、横軸は、管理領域における複数の位置でセカンダリシステムの推定利用可能スペクトル資源を示し、パワー（単位がdBm）で表され、縦軸は、管理領域における複数の位置でセカンダリシステムの推定利用可能スペクトル資源の分布確率を示す。上記例示に続いて、図６は、管理領域における４つのセカンダリシステムの位置が管理領域内でランダムに変化する場合に、各セカンダリシステムの推定利用可能スペクトル資源は、管理領域におけるセカンダリシステムの位置の変化につれて変化する。例えば、図６に示すように、管理領域における各セカンダリシステムの推定利用可能スペクトル資源（本実施例では、パワーで表される）が-５.５dBmよりも小さい確率は１０%であり、管理領域における各セカンダリシステムの推定利用可能スペクトル資源（本実施例では、パワーで表される）が-１.９dBmよりも小さい確率は５０%であり、管理領域における各セカンダリシステムの推定利用可能スペクトル資源（本実施例では、パワーで表される）が２dBmよりも小さい確率は９０%である。
【００９１】
本発明の１つの具体的な実施例によれば、プライマリシステムは、異なる分布確率下の推定利用可能スペクトル資源により、セカンダリシステムの状態が管理領域内に絶えず変化している過程におけるセカンダリシステムのチャンネル容量を計算することができる。
【００９２】
図７に示すように、図７は、セカンダリシステムが相応の分布確率下の推定利用可能スペクトル資源を採用する場合のチャンネル容量を示す。図７において、縦軸は、採用される推定利用可能スペクトル資源の分布確率を示し、横軸は、相応の分布確率下の推定利用可能スペクトル資源を採用する場合のチャンネル容量を示し、データ伝送速度（単位がビット/sec）で表されてもよい。図７に示すように、「ECC  １８６方法」で標記されている曲線は、セカンダリシステムが管理領域での任意位置にあるとき、セカンダリシステムは上記参考文献１に記載の計算方法で計算されたセカンダリシステムの推定利用可能スペクトル資源を採用する場合のチャンネル容量を示す。「x%再構成低減」で標記されている曲線は、セカンダリシステムが管理領域での任意位置にある場合に、セカンダリシステムは相応のx%分布確率下の推定利用可能スペクトル資源を採用する場合のチャンネル容量を示す。
【００９３】
本発明の１つの具体的な実施例によれば、異なる分布確率に対して、参考文献１に記載の計算方法により計算された推定利用可能スペクトル資源のチャンネル容量の損失量を、相応の分布確率下の推定利用可能スペクトル資源を採用する場合のチャンネル容量の損失量と比較してもよい。そして、セカンダリシステムのチャンネル容量の損失とセカンダリシステムの再構成複雑さとを折中することにより、実際の要求に応じて最適値を選択することができる。
【００９４】
図７に示すように、１０%分布確率下の推定利用可能スペクトル資源が採用されると、９０%のセカンダリシステムのチャンネル容量は、参考文献１に記載の計算方法を用いる場合よりも２bit/secで減少される。また、５０%分布確率下の推定利用可能スペクトル資源が採用されると、９０%のセカンダリシステムのチャンネル容量は、参考文献１に記載の計算方法を採用する場合よりも１bit/secで減少される。このように、５０%分布確率下の推定利用可能スペクトル資源を採用すると、チャンネル容量の損失が非常に小さい場合に、セカンダリシステムの位置が絶えず変化している過程において、５０%の場合しかセカンダリシステムの推定利用可能スペクトル資源を減少する必要がないため、セカンダリシステムの再構成複雑さが半分減少される。よって、異なる分布確率での推定利用可能スペクトル資源を選択することにより、セカンダリシステムのチャンネル容量損失とセカンダリシステムの再構成複雑さとを折衷して、実際の要求に応じて最適値を選択することができる。
【００９５】
ここで、上述したセカンダリシステムの最初の利用可能スペクトル資源を確定する方法は、例示的なものに過ぎず、限定的なものではない。他の方法によりセカンダリシステムの最初の利用可能スペクトル資源を確定してもよい。
【００９６】
以下、図８を参照して本発明実施例に係る無線通信システムに用いる方法を説明する。図８は、本発明実施例に係る無線通信システムに用いる方法を示すフローチャートである。
【００９７】
図８に示すように、該方法はステップ８００から開始する。ステップ８００の後、該方法はステップ８０２に進む。
【００９８】
ステップ８０２は状態情報取得ステップである。ステップ８０２では、管理領域におけるセカンダリシステムのうち少なくとも１つの状態が変化する場合に、管理領域におけるセカンダリシステムのうち少なくとも１つの状態情報を取得することができる。
【００９９】
ステップ８０２の後、該方法はステップ８０４に進む。
【０１００】
ステップ８０４は推定利用可能スペクトル資源確定ステップである。ステップ８０４において、セカンダリシステムが推定利用可能スペクトル資源の範囲内で動作する場合にプライマリシステムに対するセカンダリシステムの干渉が予定範囲を超えないように、状態情報に基づいてセカンダリシステムの推定利用可能スペクトル資源を確定することができる。
【０１０１】
ステップ８０４の後、該方法はステップ８０６に進む。
【０１０２】
ステップ８０６は実際利用スペクトル資源確定ステップである。ステップ８０６では、推定利用可能スペクトル資源を、セカンダリシステムのうち少なくとも１つの状態の変化前の最初の利用可能スペクトル資源と比較し、比較結果により、セカンダリシステムの実際利用スペクトル資源を確定することができる。
【０１０３】
図８に示す方法は、図１に示す装置に対応する方法であるため、ここでそれを詳しく説明しない。
【０１０４】
以下、図９を組み合わせて本発明のもう１つの実施例に係る無線通信システムにおける装置の構成を説明する。図９は、本発明のもう１つの実施例に係る無線通信システムにおける装置の構成を示すブロック図である。
【０１０５】
図９に示すように、無線通信システムにおける装置９００は、送信ユニット９０２及び取得ユニット９０４を備えてもよい。
【０１０６】
装置９００における送信ユニット９０２は、セカンダリシステムが推定利用可能スペクトル資源の範囲内で動作する場合にプライマリシステムに対するセカンダリシステムの干渉が予定範囲を超えないように、予定管理領域におけるセカンダリシステムのうち少なくとも１つの状態が変化する場合、予定管理領域におけるセカンダリシステムのうち少なくとも１つの状態情報を送信し、ここで、状態情報は、セカンダリシステムの推定利用可能スペクトル資源を確定するものである。
【０１０７】
装置９００における取得ユニット９０４は、セカンダリシステムの実際利用スペクトル資源を取得し、ここで、実際利用スペクトル資源は、推定利用可能スペクトル資源と、セカンダリシステムのうち少なくとも１つの状態の変化前の最初の利用可能スペクトル資源との比較の比較結果により確定されるものである。
【０１０８】
本発明の１つの具体的な実施例によれば、状態情報は、セカンダリシステムの位置情報、セカンダリシステムの数の情報及びセカンダリシステムのシステムパラメータ情報のうち少なくとも１つを備える。
【０１０９】
本発明の１つの具体的な実施例によれば、装置９００における取得ユニット９０４は、さらに、推定利用可能スペクトル資源が最初の利用可能スペクトル資源以上である場合に、最初の利用可能スペクトル資源を実際利用スペクトル資源とすることができる。本発明のもう１つの具体的な実施例によれば、装置９００における取得ユニット９０４は、さらに、推定利用可能スペクトル資源が最初の利用可能スペクトル資源よりも小さい場合、推定利用可能スペクトル資源を受信し、推定利用可能スペクトル資源を実際利用スペクトル資源とすることができる。
【０１１０】
以下、図１０を参照して本発明の他の実施例に係る無線通信システムにおける装置の構成を説明する。図１０は、本発明のもう１つの実施例に係る無線通信システムにおける装置の構成を示すブロック図である。
【０１１１】
図１０に示すように、無線通信システムにおける装置１０００は、送信ユニット１００２、取得ユニット１００４及び期待管理範囲確定ユニット１００６を備える。ここで、送信ユニット１００２及び取得ユニット１００４の構成は、図９に示す装置９００における送信ユニット９０２及び取得ユニット９０４の構成とそれぞれ同じであるため、それらを具体的に説明しない。以下、装置１０００における期待管理範囲確定ユニット１００６を詳しく説明する。
【０１１２】
図１０に示すように、装置１０００における期待管理範囲確定ユニット１００６は、セカンダリシステムの応用及び予定移動方向、或いはセカンダリシステムの通常移動範囲により、セカンダリシステムが予定時間帯内にスペクトル資源の利用を期待する期待管理範囲を確定することができ、装置１０００における送信ユニット１００２は、さらに、期待管理範囲を送信することができ、管理領域は期待管理範囲により取得される。
【０１１３】
本発明の１つの具体的な実施例によれば、装置１０００における送信ユニット１００２は、さらに、セカンダリシステムのシステムタイプ、移動状態及びエアインターフェースタイプのうち少なくとも１つを送信することができ、管理領域は、さらに、セカンダリシステムのシステムタイプ、移動状態及びエアインターフェースタイプのうち少なくとも１つにより取得される。
【０１１４】
以下、図１１を参照して本発明のもう１つの実施例に係る無線通信システムに用いる方法を説明する。図１１は、本発明のもう１つの実施例に係る無線通信システムに用いる方法を示すフローチャートである。
【０１１５】
図１１に示すように、該方法はステップ１１００から開始する。ステップ１１００の後、該方法はステップ１１０２に進む。
【０１１６】
ステップ１１０２は、送信ステップである。ステップ１１０２では、セカンダリシステムが推定利用可能スペクトル資源の範囲内で動作する場合にプライマリシステムに対するセカンダリシステムの干渉が予定範囲を超えないように、予定管理領域におけるセカンダリシステムのうち少なくとも１つの状態が変化する場合に、予定管理領域におけるセカンダリシステムのうち少なくとも１つの状態情報を送信し、状態情報は、セカンダリシステムの推定利用可能スペクトル資源を確定するものである。
【０１１７】
ステップ１１０２の後、該方法はステップ１１０４に進む。
【０１１８】
ステップ１１０４は取得ステップである。ステップ１１０４では、セカンダリシステムの実際利用スペクトル資源を取得することができ、実際利用スペクトル資源は、推定利用可能スペクトル資源と、セカンダリシステムのうち少なくとも１つの状態の変化前の最初の利用可能スペクトル資源との比較の比較結果により確定されるものである。
【０１１９】
図１１に示す方法は、図９に記載の装置に対応する方法であり、ここで、それを詳しく説明しない。
【０１２０】
以下、図１２を組み合わせて本発明のもう１つの実施例に係る無線通信システムにおける装置の構成を説明する。図１２は本発明のもう１つの実施例に係る無線通信システムにおける装置の構成を示すブロック図である。
【０１２１】
図１２に示すように、無線通信システムにおける装置１２００は、状態情報取得ユニット１２０２、推定利用可能スペクトル資源確定ユニット１２０４及び送信ユニット１２０６を備えてもよい。
【０１２２】
図１２に示すように、装置１２００における状態情報取得ユニット１２０２は、予定管理領域におけるセカンダリシステムのうち少なくとも１つの状態が変化する場合、予定管理領域におけるセカンダリシステムのうち少なくとも１つの状態情報を取得することができる。
【０１２３】
図１２に戻って参照すると、装置１２００における推定利用可能スペクトル資源確定ユニット１２０４は、セカンダリシステムが推定利用可能スペクトル資源の範囲内で動作する場合にプライマリシステムに対するセカンダリシステムの干渉が予定範囲を超えないように、状態情報により、セカンダリシステムの推定利用可能スペクトル資源を確定することができる。
【０１２４】
図１２に戻って参照すると、装置１２００における送信ユニット１２０６は、セカンダリシステムが推定利用可能スペクトル資源と最初の利用可能スペクトル資源とを比較して比較結果によりセカンダリシステムの実際利用スペクトル資源を確定するように、セカンダリシステムの推定利用可能スペクトル資源、及びセカンダリシステムのうち少なくとも１つの状態の変化前の最初の利用可能スペクトル資源を管理領域におけるセカンダリシステムに送信することができる。
【０１２５】
以下に、図１３を組み合わせて本発明のもう１つの実施例に係る無線通信システムに用いる方法を説明する。図１３は、本発明のもう１つの実施例に係る無線通信システムに用いる方法を示すフローチャートである。
【０１２６】
図１３に示すように、該方法はステップ１３００から開始する。ステップ１３００の後、該方法はステップ１３０２に進む。
【０１２７】
ステップ１３０２は状態情報取得ステップである。ステップ１３０２では、予定管理領域におけるセカンダリシステムのうち少なくとも１つの状態が変化する場合、予定管理領域におけるセカンダリシステムのうち少なくとも１つの状態情報を取得することができる。
【０１２８】
ステップ１３０２の後、該方法はステップ１３０４に進む。
【０１２９】
ステップ１３０４は推定利用可能スペクトル資源確定ステップである。ステップ１３０４では、セカンダリシステムが推定利用可能スペクトル資源の範囲内で動作する場合にプライマリシステムに対するセカンダリシステムの干渉が予定範囲を超えないように、状態情報により、セカンダリシステムの推定利用可能スペクトル資源を確定することができる。
【０１３０】
ステップ１３０４の後、該方法はステップ１３０６に進む。
【０１３１】
ステップ１３０６は送信ステップである。ステップ１３０６では、セカンダリシステムが推定利用可能スペクトル資源と最初の利用可能スペクトル資源とを比較して比較結果によりセカンダリシステムの実際利用スペクトル資源を確定するように、セカンダリシステムの推定利用可能スペクトル資源、及びセカンダリシステムのうち少なくとも１つの状態の変化前の最初の利用可能スペクトル資源を管理領域におけるセカンダリシステムに送信することができる。
【０１３２】
図１３に示す方法は、図１２に示す装置に対応する方法であり、ここでそれを具体的に説明しない。
【０１３３】
以下、図１４を組み合わせて本発明のもう１つの実施例に係る無線通信システムにおける装置の構成を示すブロック図を説明する。図１４は、本発明のもう１つの実施例に係る無線通信システムにおける装置の構成を示すブロック図である。
【０１３４】
図１４に示すように、無線通信システムにおける装置１４００は、送信ユニット１４０２、受信ユニット１４０４及び実際利用スペクトル資源確定ユニット１４０６を備えてもよい。
【０１３５】
図１４に示すように、装置１４００における送信ユニット１４０２は、セカンダリシステムが推定利用可能スペクトル資源の範囲内で動作する場合にプライマリシステムに対するセカンダリシステムの干渉が予定範囲を超えないように、予定管理領域におけるセカンダリシステムのうち少なくとも１つの状態が変化する場合、予定管理領域におけるセカンダリシステムのうち少なくとも１つの状態情報を送信し、ここで、状態情報はセカンダリシステムの推定利用可能スペクトル資源を確定するものである。
【０１３６】
図１４に戻って参照すると、装置１４００における受信ユニット１４０４は、セカンダリシステムの推定利用可能スペクトル資源、及びセカンダリシステムのうち少なくとも１つの状態の変化前の最初の利用可能スペクトル資源を受信することができる。
【０１３７】
図１４に戻って参照すると、装置１４００における実際利用スペクトル資源確定ユニット１４０６は、推定利用可能スペクトル資源と最初の利用可能スペクトル資源とを比較し、比較結果によりセカンダリシステムの実際利用スペクトル資源を確定することができる。
【０１３８】
以下、図１５を参照して本発明のもう１つの実施例に係る無線通信システムに用いる方法を説明する。図１５は、本発明のもう１つの実施例に係る無線通信システムに用いる方法を示すフローチャートである。
【０１３９】
図１５に示すように、該方法はステップ１５００から開始する。ステップ１５００の後、該方法はステップ１５０２に進む。
【０１４０】
ステップ１５０２は送信ステップである。ステップ１５０２では、セカンダリシステムが推定利用可能スペクトル資源の範囲内で動作する場合にプライマリシステムに対するセカンダリシステムの干渉が予定範囲を超えないように、予定管理領域におけるセカンダリシステムのうち少なくとも１つの状態が変化する場合に、予定管理領域におけるセカンダリシステムのうち少なくとも１つの状態情報を送信し、状態情報はセカンダリシステムの推定利用可能スペクトル資源を確定するものである。
【０１４１】
ステップ１５０２の後、該方法はステップ１５０４に進む。
【０１４２】
ステップ１５０４は受信ステップである。ステップ１５０４では、セカンダリシステムの推定利用可能スペクトル資源、及びセカンダリシステムのうち少なくとも１つの状態の変化前の最初の利用可能スペクトル資源を受信することができる。
【０１４３】
ステップ１５０４の後、該方法はステップ１５０６に進む。
【０１４４】
ステップ１５０６は実際利用スペクトル資源確定ステップである。ステップ１５０６では、推定利用可能スペクトル資源と最初の利用可能スペクトル資源とを比較し、比較結果によりセカンダリシステムの実際利用スペクトル資源を確定することができる。
【０１４５】
図１５に示す方法は図１４に示す装置に対応する方法であり、ここでそれを具体的に説明しない。
【０１４６】
以下に、図１６を参照して本発明のもう１つの実施例に係る無線通信システムに用いる方法を説明する。図１６は本発明のもう１つの実施例に係る無線通信システムに用いる方法のフローチャートである。
【０１４７】
図１６に示すように、該方法はステップ１６００から開始する。ステップ１６００の後、該方法はステップ１６０２に進む。
【０１４８】
ステップ１６０２では、予定管理領域におけるセカンダリシステムのうち少なくとも１つの状態が変化する場合に、予定管理領域におけるセカンダリシステムのうち少なくとも１つの状態情報を送信することができる。
【０１４９】
ステップ１６０２の後、該方法はステップ１６０４に進む。
【０１５０】
ステップ１６０４では、予定管理領域におけるセカンダリシステムのうち少なくとも１つの状態情報を取得することができる。
【０１５１】
ステップ１６０４の後、該方法はステップ１６０６に進む。
【０１５２】
ステップ１６０６では、セカンダリシステムが推定利用可能スペクトル資源の範囲内で動作する場合にプライマリシステムに対するセカンダリシステムの干渉が予定範囲を超えないように、状態情報によりセカンダリシステムの推定利用可能スペクトル資源を確定することができる。
【０１５３】
ステップ１６０６の後、該方法はステップ１６０８に進む。
【０１５４】
ステップ１６０８では、推定利用可能スペクトル資源とセカンダリシステムのうち少なくとも１つの状態の変化前の最初の利用可能スペクトル資源とを比較し、比較結果によりセカンダリシステムの実際利用スペクトル資源を確定することができる。
【０１５５】
ステップ１６０８の後、該方法はステップ１６１０に進む。
【０１５６】
ステップ１６１０では、セカンダリシステムは、セカンダリシステムの実際利用スペクトル資源を取得することができる。
【０１５７】
以下、図１７を参照して本発明のもう１つの実施例に係る無線通信システムに用いる方法を説明する。図１７は、本発明のもう１つの実施例に係る無線通信システムに用いる方法を示すフローチャートである。
【０１５８】
図１７に示すように、該方法はステップ１７００から開始する。ステップ１７００の後、該方法はステップ１７０２に進む。
【０１５９】
ステップ１７０２では、予定管理領域におけるセカンダリシステムのうち少なくとも１つの状態が変化する場合に、予定管理領域におけるセカンダリシステムのうち少なくとも１つの状態情報を送信することができる。
【０１６０】
ステップ１７０２の後、該方法はステップ１７０４に進む。
【０１６１】
ステップ１７０４では、予定管理領域におけるセカンダリシステムのうち少なくとも１つの状態情報を取得することができる。
【０１６２】
ステップ１７０４の後、該方法はステップ１７０６に進む。
【０１６３】
ステップ１７０６では、セカンダリシステムが推定利用可能スペクトル資源の範囲内で動作する場合にプライマリシステムに対するセカンダリシステムの干渉が予定範囲を超えないように、状態情報によりセカンダリシステムの推定利用可能スペクトル資源を確定することができる。
【０１６４】
ステップ１７０６の後、該方法はステップ１７０８に進む。
【０１６５】
ステップ１７０８では、セカンダリシステムの推定利用可能スペクトル資源、及びセカンダリシステムのうち少なくとも１つの状態の変化前の最初の利用可能スペクトル資源を管理領域におけるセカンダリシステムに送信することができる。
【０１６６】
ステップ１７０８の後、該方法はステップ１７１０に進む。
【０１６７】
ステップ１７１０では、セカンダリシステムは、セカンダリシステムの推定利用可能スペクトル資源、及び最初の利用可能スペクトル資源を受信することができる。
【０１６８】
ステップ１７１０の後、該方法はステップ１７１２に進む。
【０１６９】
ステップ１７１２では、セカンダリシステムは、推定利用可能スペクトル資源と最初の利用可能スペクトル資源とを比較し、比較結果によりセカンダリシステムの実際利用スペクトル資源を確定することができる。
【０１７０】
また、本発明実施例はプログラム製品をさらに提供し、該プログラム製品は、機械実行可能な命令をローディングしており、情報処理装置に上記命令を実行する場合、上記命令により、上記情報処理装置は、本発明実施例に係る無線通信システムに用いる方法を実行する。
【０１７１】
また、本発明実施例はさらに記憶媒体を提供し、該記憶媒体は、機械読み取り可能なプログラムコードを含み、情報処理装置に上記プログラムコードを実行する場合、上記プログラムコードにより、上記情報処理装置は、本発明実施例に係る無線通信システムに用いる方法を実行する。
【０１７２】
それに応じて、上記機械読取可能な命令コードをロードしているプログラム製品を記憶する記憶媒体も本発明の公開に含まれている。前記記憶媒体は、フロッピーディスク（登録商標）、光ディスク、光磁気ディスク、メモリカード、メモリスティック等を含むが、それらに限らない。
【０１７３】
本発明実施例に係る無線通信システムにおける装置及びその構成部分は、ソフトウェア、ファームウェア、ハードウェア又はそれらの組み合わせにより構成されてもよい。構成する場合に利用可能な具体的な手段又は方式は、当業者に熟知しているため、ここで繰り返さない。ソフトウェア又はファームウェアにより構成される場合は、記憶媒体又はネットワークから該ソフトウェアを構成するプログラムを専用ハードウェア構造を有する情報処理装置（例えば図１８に示す情報処理装置１８００）にインストールする。このコンピュータは各種のプログラムをインストールした後、各種の機能等を実現できる。
【０１７４】
図１８は本発明実施例を実行可能な情報処理装置を示す概略的なブロック図である。
【０１７５】
図１８において、中央処理装置（CPU）１８０１は、読取専用記憶媒体（ROM）１８０２に記憶されるプログラム又は記憶部１８０８からランダムアクセスメモリ（RAM）１８０３にローディングするプログラムにより各種の処理を実行する。RAM１８０３は、必要に応じてCPU１８０１が各種の処理等を実行する場合に必要なデータをも記憶する。CPU１８０１、ROM１８０２及びRAM１８０３はバス１８０４を介して互いに接続される。入力／出力インタフェース１８０５もバス１８０４に接続される。
【０１７６】
入力部１８０６（キーボード、マウス等を含む）、出力部１８０７（例えば、陰極線管（CRT）、液晶ディスプレイ（LCD）等のディスプレイ、スピーカー等を含む）、記憶部１８０８（ハードウェア等を含む）、通信部１８０９（ネットワークインタフェースカード、例えば、LANカード、モデム等を含む）は、入力／出力インタフェース１８０５に接続される。通信部分１８０９は、ネットワーク、例えば、インターネットを介して通信処理を実行する。駆動装置１８１０は必要に応じて入力／出力インタフェース１８０５に接続されてもよい。リムーバブルメディア１８１１、例えば、磁気ディスク、光ディスク、光磁気ディスク、半導体メモリ等は、必要に応じて駆動装置１８１０に実装され、これにより、それから読み出されるコンピュータプログラムは必要に応じて記憶部１８０８にインストールされる。
【０１７７】
ソフトウェアにより上記一連の処理を実現する場合、ネットワーク、例えば、インターネット、或いは、記憶媒体、例えば、リムーバブルメディア１８１１からソフトウェアを構成するプログラムをインストールする。
【０１７８】
ここで、このような記憶媒体は、図１８に示すプログラムが記憶され、ユーザにプログラムを提供するように装置から分離して配信するリムーバブルメディア１８１１に限らない。リムーバブルメディア１８１１は、例えば、磁気ディスク（フロッピーディスク（登録商標）を含む）、光ディスク（光ディスク読取専用記憶媒体（CD-ROM）及びデジタル多用途ディスク（DVD））、光磁気ディスク（ミニディスク（MD）（登録商標）を含む）及び半導体メモリを含む。或いは、記憶媒体は、ROM１８０２、記憶部１８０８に含まれるハードディスク等であってもよく、プログラムを記憶しており、それらを含む装置とともにユーザに配信される。
【０１７９】
上記命令のコードは機械に読み取って実行される場合に、上記本発明実施例に係る無線通信システムに用いる方法が実行される。
【０１８０】
本発明の範囲及び趣旨から逸脱しない前提で当業者は様々な修正及び変形をすることができる。実施例の選択及び説明は、本発明の原理及び実際の応用を最適に解釈するためであり、当業者に理解させるためである。本発明は、要求の特定用途に適する各種の変化を有する各種の実施形態を有しても良い。
【０１８１】
上記実施例を含む方式について、下記の付録を開示する。
付録：
１.無線通信システムにおける装置であって、
予定管理領域におけるセカンダリシステムのうち少なくとも１つの状態が変化する場合に、前記予定管理領域におけるセカンダリシステムのうち少なくとも１つの状態情報を取得する状態情報取得ユニットと、
前記セカンダリシステムが前記推定利用可能スペクトル資源の範囲内で動作する場合にプライマリシステムに対するセカンダリシステムの干渉が予定範囲を超えないように、前記状態情報により、前記セカンダリシステムの推定利用可能スペクトル資源を確定する推定利用可能スペクトル資源確定ユニットと、
前記推定利用可能スペクトル資源と前記セカンダリシステムのうち少なくとも１つの状態の変化前の最初の利用可能スペクトル資源とを比較し、比較結果により前記セカンダリシステムの実際利用スペクトル資源を確定する実際利用スペクトル資源確定ユニットと、を備える。
２.前記状態情報は、前記セカンダリシステムの位置情報、前記セカンダリシステムの数の情報及び前記セカンダリシステムのシステムパラメータ情報のうち少なくとも１つを備える付録１に記載の装置。
３.前記実際利用スペクトル資源確定ユニットは、さらに、前記推定利用可能スペクトル資源が前記最初の利用可能スペクトル資源以上である場合に、前記セカンダリシステムが前記最初の利用可能スペクトル資源を前記実際利用スペクトル資源として用いるよう、或いは何の命令も出さないように指示する付録１に記載の装置。
４.前記実際利用スペクトル資源確定ユニットは、さらに、前記推定利用可能スペクトル資源が前記最初の利用可能スペクトル資源よりも小さい場合、前記セカンダリシステムが前記推定利用可能スペクトル資源を前記実際利用スペクトル資源として用いるように、前記推定利用可能スペクトル資源を前記セカンダリシステムに送信する付録１に記載の装置。
５.前記セカンダリシステムが予定時間帯内にスペクトル資源を利用することを期待する期待管理範囲を取得し、前記期待管理範囲により前記管理領域を確定する管理領域確定ユニットをさらに備え、前記期待管理範囲は、前記セカンダリシステムが前記セカンダリシステムの応用及び予定移動方向、或いは前記セカンダリシステムの通常移動範囲により確定されるものである付録１に記載の装置。
６.前記管理領域確定ユニットは、さらに、前記セカンダリシステムのシステムタイプ、移動状態及びエアインターフェースタイプのうち少なくとも１つにより前記管理領域を確定する付録５に記載の装置。
７.前記セカンダリシステム及びプライマリシステムの情報により、前記管理領域における前記管理領域の各位置での各セカンダリシステムの推定利用可能スペクトル資源を確定し、各位置での各推定利用可能スペクトル資源により前記最初の利用可能スペクトル資源を確定する最初の利用可能スペクトル資源確定ユニットをさらに備える付録１に記載の装置。
８.前記最初の利用可能スペクトル資源確定ユニットは、さらに、前記最初の利用可能スペクトル資源として、各位置での各推定利用可能スペクトル資源の平均値を計算する付録７に記載の装置。
９.前記最初の利用可能スペクトル資源確定ユニットは、各位置での各推定利用可能スペクトル資源の分布確率、及び相応の分布確率下の推定利用可能スペクトル資源を採用する場合のチャンネル容量を統計し、統計の結果により前記最初の利用可能スペクトル資源を確定する付録７に記載の装置。
１０.無線通信システムに用いる方法であって、
予定管理領域におけるセカンダリシステムのうち少なくとも１つの状態が変化する場合に、前記予定管理領域におけるセカンダリシステムのうち少なくとも１つの状態情報を取得する状態情報取得ステップと、
前記セカンダリシステムが前記推定利用可能スペクトル資源の範囲内で動作する場合にプライマリシステムに対するセカンダリシステムの干渉が予定範囲を超えないように、前記状態情報により前記セカンダリシステムの推定利用可能スペクトル資源を確定する推定利用可能スペクトル資源確定ステップと、
前記推定利用可能スペクトル資源を、前記セカンダリシステムのうち少なくとも１つの状態の変化前の最初の利用可能スペクトル資源と比較し、比較結果により前記セカンダリシステムの実際利用スペクトル資源を確定する実際利用スペクトル資源確定ステップと、を備える。
１１.無線通信システムにおける装置であって、
前記セカンダリシステムが前記推定利用可能スペクトル資源の範囲内で動作する場合にプライマリシステムに対するセカンダリシステムの干渉が予定範囲を超えないように、予定管理領域におけるセカンダリシステムのうち少なくとも１つの状態が変化する場合に、前記予定管理領域におけるセカンダリシステムのうち少なくとも１つの状態情報を送信する送信ユニットであって、前記状態情報は前記セカンダリシステムの推定利用可能スペクトル資源を確定するものである送信ユニットと、
前記セカンダリシステムの実際利用スペクトル資源を取得する取得ユニットであって、前記実際利用スペクトル資源は、前記推定利用可能スペクトル資源と、前記セカンダリシステムのうち少なくとも１つの状態の変化前の最初の利用可能スペクトル資源とを比較する比較結果により確定される取得ユニットと、を備える。
１２.前記状態情報は、前記セカンダリシステムの位置情報、前記セカンダリシステムの数の情報及び前記セカンダリシステムのシステムパラメータ情報のうち少なくとも１つを備える付録１１に記載の装置。
１３.前記取得ユニットは、さらに、前記推定利用可能スペクトル資源が前記最初の利用可能スペクトル資源以上である場合に、前記実際利用スペクトル資源として、前記最初の利用可能スペクトル資源を利用する付録１１に記載の装置。
１４.前記取得ユニットは、さらに、前記推定利用可能スペクトル資源が前記最初の利用可能スペクトル資源よりも小さい場合に、前記推定利用可能スペクトル資源を受信し、前記実際利用スペクトル資源として前記推定利用可能スペクトル資源を利用する付録１１に記載の装置。
１５.前記セカンダリシステムの応用及び予定移動方向、或いは前記セカンダリシステムの通常移動範囲により、前記セカンダリシステムが予定時間帯内にスペクトル資源の利用を期待する期待管理範囲を確定する期待管理範囲確定ユニットをさらに備え、前記送信ユニットは、さらに、前記期待管理範囲により取得される前記期待管理範囲を送信する付録１１に記載の装置。
１６.前記送信ユニットは、さらに、前記セカンダリシステムのシステムタイプ、移動状態及びエアインターフェースタイプのうち少なくとも１つを送信し、前記管理領域は、さらに、前記セカンダリシステムのシステムタイプ、移動状態及びエアインターフェースタイプのうち少なくとも１つにより取得される付録１５に記載の装置。
１７.無線通信システムに用いる方法であって、
前記セカンダリシステムが前記推定利用可能スペクトル資源の範囲内で動作する場合にプライマリシステムに対するセカンダリシステムの干渉が予定範囲を超えないように、予定管理領域におけるセカンダリシステムのうち少なくとも１つの状態が変化する場合に、前記予定管理領域におけるセカンダリシステムのうち少なくとも１つの状態情報を送信し、前記状態情報は前記セカンダリシステムの推定利用可能スペクトル資源を確定する送信ステップと、
取得前記セカンダリシステムの実際利用スペクトル資源を取得し、前記実際利用スペクトル資源は前記推定利用可能スペクトル資源と前記セカンダリシステムのうち少なくとも１つの状態の変化前の最初の利用可能スペクトル資源とを比較する比較結果により確定される取得ステップと、を備える。
１８.無線通信システムにおける装置であって、
予定管理領域におけるセカンダリシステムのうち少なくとも１つの状態が変化する場合に、前記予定管理領域におけるセカンダリシステムのうち少なくとも１つの状態情報を取得する状態情報取得ユニットと、
前記セカンダリシステムが前記推定利用可能スペクトル資源の範囲内で動作する場合にプライマリシステムに対するセカンダリシステムの干渉が予定範囲を超えないように、前記状態情報により前記セカンダリシステムの推定利用可能スペクトル資源を確定する、推定利用可能スペクトル資源確定ユニットと、
前記セカンダリシステムが前記推定利用可能スペクトル資源と前記最初の利用可能スペクトル資源とを比較して比較結果により前記セカンダリシステムの実際利用スペクトル資源を確定するように、前記セカンダリシステムの前記推定利用可能スペクトル資源、及び前記セカンダリシステムのうち少なくとも１つの状態の変化前の最初の利用可能スペクトル資源を、前記管理領域におけるセカンダリシステムに送信する送信ユニットと、を備える。
１９.無線通信システムに用いる方法であって、
予定管理領域におけるセカンダリシステムのうち少なくとも１つの状態が変化する場合に、前記予定管理領域におけるセカンダリシステムのうち少なくとも１つの状態情報を取得する状態情報取得ステップと、
前記セカンダリシステムが前記推定利用可能スペクトル資源の範囲内で動作する場合にプライマリシステムに対するセカンダリシステムの干渉が予定範囲を超えないように、前記状態情報により前記セカンダリシステムの推定利用可能スペクトル資源を確定する、推定利用可能スペクトル資源確定ステップと、
前記セカンダリシステムが前記推定利用可能スペクトル資源と前記最初の利用可能スペクトル資源とを比較して比較結果により前記セカンダリシステムの実際利用スペクトル資源を確定するように、前記セカンダリシステムの前記推定利用可能スペクトル資源、及び前記セカンダリシステムのうち少なくとも１つの状態の変化前の最初の利用可能スペクトル資源を前記管理領域におけるセカンダリシステムに送信する送信ステップと、を備える。
２０.無線通信システムにおける装置であって、
前記セカンダリシステムが前記推定利用可能スペクトル資源の範囲内で動作する場合にプライマリシステムに対するセカンダリシステムの干渉が予定範囲を超えないように、予定管理領域におけるセカンダリシステムのうち少なくとも１つの状態が変化する場合に、前記予定管理領域におけるセカンダリシステムのうち少なくとも１つの状態情報を送信する送信ユニットであって、前記状態情報は前記セカンダリシステムの推定利用可能スペクトル資源を確定するためのものである送信ユニットと、
前記セカンダリシステムの前記推定利用可能スペクトル資源、及び前記セカンダリシステムのうち少なくとも１つの状態の変化前の最初の利用可能スペクトル資源を送信する受信ユニットと、
前記推定利用可能スペクトル資源と前記最初の利用可能スペクトル資源とを比較し、比較結果により前記セカンダリシステムの実際利用スペクトル資源を確定する実際利用スペクトル資源確定ユニットと、を備える。
２１.無線通信システムに用いる方法であって、
前記セカンダリシステムが前記推定利用可能スペクトル資源の範囲内で動作する場合にプライマリシステムに対するセカンダリシステムの干渉が予定範囲を超えないように、予定管理領域におけるセカンダリシステムのうち少なくとも１つの状態が変化する場合に、前記予定管理領域におけるセカンダリシステムのうち少なくとも１つの状態情報を送信する送信ステップであって、前記状態情報は前記セカンダリシステムの推定利用可能スペクトル資源を確定するためのものである送信ステップと、
前記セカンダリシステムの前記推定利用可能スペクトル資源、及び前記セカンダリシステムのうち少なくとも１つの状態の変化前の最初の利用可能スペクトル資源を受信する受信ステップと、
前記推定利用可能スペクトル資源と前記最初の利用可能スペクトル資源とを比較し、比較結果により前記セカンダリシステムの実際利用スペクトル資源を確定する実際利用スペクトル資源確定ステップと、を備える。
【図１】
0006319429.tif 000002
【図２】
0006319429.tif 000003
【図３】
0006319429.tif 000004
【図４】
0006319429.tif 000005
【図５】
0006319429.tif 000006
【図６】
0006319429.tif 000007
【図７】
0006319429.tif 000008
【図８】
0006319429.tif 000009
【図９】
0006319429.tif 000010
【図１０】
0006319429.tif 000011
【図１１】
0006319429.tif 000012
【図１２】
0006319429.tif 000013
【図１３】
0006319429.tif 000014
【図１４】
0006319429.tif 000015
【図１５】
0006319429.tif 000016
【図１６】
0006319429.tif 000017
【図１７】
0006319429.tif 000018
【図１８】
0006319429.tif 000019